(57)【要約】【課題】投票者のレース的中金運用面での利便性を確保するとともに、競技主催者のレース的中金管理面での効率化を図ることを目的とする。【解決手段】投票端末からキャッシュレス態様で投票できるようにした投票システムなどに関する。投票者は投票端末１から投票者カードおよびマークカードを用いて投票する。投票者カードにはＩＤが設定されている。カードＩＤごとに、預り金（投票端末に投入した現金），投票金，的中金（未払い状態で競技主催者が管理するレース的中金），払戻金（投票者が当該的中金の一部または全部を移行させたもの）などがデータベース２１の形で登録される。投票者はこの的中金を任意に払戻金に移行し、これを投票資金として用いることができる。なお、競技主催者のサーバ２は、データベース２１に登録された的中金が所定日数経過しても払戻金に移行しない場合は、この的中金を無効とする。【選択図】  図１
2004302898.tif 000002
【特許請求の範囲】
【請求項１】
投票端末からキャッシュレス態様で投票できるようにした投票システムにおいて、
各利用者の、少なくとも、投票用の預り金と、レースへの投票金と、的中した投票内容に対する未払い状態の的中金と、当該的中金の一部または全部を移行させたもので支払済み状態の払戻金と、に基づくデータを対応付けて保持するファイルと、
払戻指示に基づいて、前記ファイルの的中金および払戻金の関連データを前記移行後の値に設定したレコードを登録するファイル管理部とを備えた、
ことを特徴とするキャッシュレス投票システム。
【請求項２】
投票端末からキャッシュレス態様で投票できるようにした投票システムにおいて、
各利用者の、少なくとも、投票用の預り金と、レースへの投票金と、的中した投票内容に対する未払い状態の的中金と、当該的中金の一部または全部を移行させたもので支払済み状態の払戻金と、に基づくデータを対応付けて保持するファイルから取り出した情報を表示する表示部と、
利用者の前記預り金および前記払戻金の和から前回までの前記投票金を差し引いた分に対応の投票可能金額と、当該利用者の今回の投票金額との大小関係を調べて、投票可能金額が不足している場合には、前記的中金を支払済み状態の払戻金に移行させるかどうかについての表示を前記表示部に実行させ、当該利用者からの払戻指示に基づいてその払戻後の新たな投票可能金額と当該投票金額との大小関係を調べる投票処理部とを備えた、
ことを特徴とするキャッシュレス投票システム。
【請求項３】
投票端末からキャッシュレス態様で投票できるようにした投票方法において、
各利用者の、少なくとも、投票用の預り金と、レースへの投票金と、的中した投票内容に対する未払い状態の的中金と、当該的中金の一部または全部を移行させたもので支払済み状態の払戻金と、に基づくデータを対応付けてファイルに保持し、
払戻指示に基づいて、前記ファイルの的中金および払戻金の関連データを前記移行後の値に設定したレコードを登録する、
ことを特徴とするキャッシュレス投票方法。
【請求項４】
コンピュータ処理により、投票端末からキャッシュレス態様で投票するためのプログラムであって、
前記コンピュータに、
各利用者の、少なくとも、投票用の預り金と、レースへの投票金と、的中した投票内容に対する未払い状態の的中金と、当該的中金の一部または全部を移行させたもので支払済み状態の払戻金と、に基づくデータを対応付けてファイルに保持する機能と、
払戻指示に基づいて、前記ファイルの的中金および払戻金の関連データを前記移行後の値に設定したレコードを登録する機能とを実現させる、
ことを特徴とするキャッシュレス投票プログラム。
【請求項５】
コンピュータ処理により、投票端末からキャッシュレス態様で投票するためのプログラムであって、
前記コンピュータに、
各利用者の、少なくとも、投票用の預り金と、レースへの投票金と、的中した投票内容に対する未払い状態の的中金と、当該的中金の一部または全部を移行させたもので支払済み状態の払戻金と、に基づくデータを対応付けて保持するファイルから取り出した情報を表示する機能と、
利用者の前記預り金および前記払戻金の和から前回までの前記投票金を差し引いた分に対応の投票可能金額と、当該利用者の今回の投票金額との大小関係を調べて、投票可能金額が不足している場合には、前記的中金を支払済み状態の払戻金に移行させるかどうかについての表示を実行する機能と、
前記利用者からの払戻指示に基づいてその払戻後の新たな投票可能金額と当該投票金額との大小関係を調べる機能とを実現させる、
ことを特徴とするキャッシュレス投票プログラム。
【発明の詳細な説明】
【０００１】
【発明の属する技術分野】
本発明は、投票端末からキャッシュレス態様で投票できるようにした投票システム，投票方法および投票プログラムに関する。その適用対象となるのは、競馬，競輪，オートレースなどの各種競技である。
【０００２】
競馬などでのキャッシュレス投票の場合、そのレース的中金に関し、競技主催者側の会計処理上の整合性を確保できるとともに、投票者にとっては日付を超えた期間で新たに投票資金化できることが望ましく、本発明はこのような要請に応えるものである。
【０００３】
【従来の技術】
従来のキャッシュレス投票では、レース的中金を、
（１）  自動的に競技主催者側のサーバの払戻金領域に移行させる、
（２）  投票者のカードに加算していく、
などの手法を用いている（例えば特許文献１，２，３参照）。
【０００４】
上記（１）  の場合、競技主催者側は、レース的中金が払戻金領域に移行した時点で現金を投票者に払い戻したという位置付けにしている。
【０００５】
そのため、会計上、サーバの払戻金領域の金額は当日のみ有効であって、投票者は当日のレースが終了した段階で当該金額をすべて現金に精算せざるを得なかった。
【０００６】
すなわち、その日限りのキャッシュレスにすぎず、投票者は競技場に出向くたびにキャッシュレス投票の登録（ＩＤの登録，現金の投入など）をしなければならない。
【０００７】
また、上記（２）  の場合、カードへ加算された金額、すなわちデータ上はすでに換金済みで投票者が所有権を有するお金を、現実には競技主催者側でも管理しなければならない。
【０００８】
これは、競技主催者側が、投票者の要求とはいわば無関係に、もっぱら自らの都合でレース的中金を電子マネー扱いの処理とすることに慎重とならざるを得ないためである。
【０００９】
【特許文献１】
特開平０２−２３９３９０号公報
【特許文献２】
特開平０６−３２５０６３号公報
【特許文献３】
特開平０６−３２５０６５号公報
【００１０】
【発明が解決しようとする課題】
このように、従来のキャッシュレス投票の場合、投票者は、自らのレース的中金を任意の内容（例えばレース的中金の一部だけを当日の投票資金に移行させ、残りについては後日使用するのでとりあえず競技主催者側で預かってほしい）で処理することができず、レース的中金の管理・運用面で効率性や利便性にかけるという問題点があった。
【００１１】
そこで、本発明では、レース的中金（配当金）を、競技主催者の管理下にあって投票者には未払い状態の的中金と、当該的中金を投票者の支配下に移行させた状態の払戻金と、の二つの項目に分けて保持することにより、当該レース的中金を投票者が自ら望む任意の形で運用できるようにし、また、レース的中に基づく配当後の任意の段階（例えば的中金の一部を払戻金に移行させた段階）における当該レース的中金（的中金，払戻金）の管理者と所有権者との一致を図ることを目的とする。
【００１２】
また、競技主催者の管理下にある的中金が所定期間（複数日数）たっても払戻金に移行しない場合には、当該的中金を無効にすることにより、競技主催者側の的中金管理の効率化を図ることを目的とする。
【００１３】
【課題を解決するための手段】
本発明は、この課題を、次のようなキャッシュレス投票システムなどにより解決する。
（１）投票端末からキャッシュレス態様で投票できるようにした投票システムにおいて、各利用者の、少なくとも、投票用の預り金と、レースへの投票金と、的中した投票内容に対する未払い状態の的中金と、当該的中金の一部または全部を移行させたもので支払済み状態の払戻金と、に基づくデータを対応付けて保持するファイル（例えば後述のカードＩＤファイル２１ａ）と、払戻指示に基づいて、前記ファイルの的中金および払戻金の関連データ（例えば後述の的中金計および払戻金計）を前記移行後の値に設定したレコードを登録するファイル管理部（例えば後述のファイル管理部２２）とを備える。
（２）投票端末からキャッシュレス態様で投票できるようにした投票システムにおいて、各利用者の、少なくとも、投票用の預り金と、レースへの投票金と、的中した投票内容に対する未払い状態の的中金と、当該的中金の一部または全部を移行させたもので支払済み状態の払戻金と、に基づくデータを対応付けて保持するファイルから取り出した情報を表示する表示部（例えば後述の表示部１７）と、利用者の前記預り金および前記払戻金の和から前回までの前記投票金を差し引いた分に対応の投票可能金額と、当該利用者の今回の投票金額との大小関係を調べて、投票可能金額が不足している場合には、前記的中金を支払済み状態の払戻金に移行させるかどうかについての表示を前記表示部に実行させ、当該利用者からの払戻指示に基づいてその払戻後の新たな投票可能金額と当該投票金額との大小関係を調べる投票処理部（例えば後述の投票・精算処理部１３）とを備える。
（３）投票端末からキャッシュレス態様で投票できるようにした投票方法において、各利用者の、少なくとも、投票用の預り金と、レースへの投票金と、的中した投票内容に対する未払い状態の的中金と、当該的中金の一部または全部を移行させたもので支払済み状態の払戻金と、に基づくデータを対応付けてファイルに保持し、払戻指示に基づいて、前記ファイルの的中金および払戻金の関連データを前記移行後の値に設定したレコードを登録する。
（４）コンピュータ処理により、投票端末からキャッシュレス態様で投票するためのプログラムであって、前記コンピュータに、各利用者の、少なくとも、投票用の預り金と、レースへの投票金と、的中した投票内容に対する未払い状態の的中金と、当該的中金の一部または全部を移行させたもので支払済み状態の払戻金と、に基づくデータを対応付けてファイルに保持する機能と、払戻指示に基づいて、前記ファイルの的中金および払戻金の関連データを前記移行後の値に設定したレコードを登録する機能とを実現させる。
（５）コンピュータ処理により、投票端末からキャッシュレス態様で投票するためのプログラムであって、前記コンピュータに、各利用者の、少なくとも、投票用の預り金と、レースへの投票金と、的中した投票内容に対する未払い状態の的中金と、当該的中金の一部または全部を移行させたもので支払済み状態の払戻金と、に基づくデータを対応付けて保持するファイルから取り出した情報を表示する機能と、利用者の前記預り金および前記払戻金の和から前回までの前記投票金を差し引いた分に対応の投票可能金額と、当該利用者の今回の投票金額との大小関係を調べて、投票可能金額が不足している場合には、前記的中金を支払済み状態の払戻金に移行させるかどうかについての表示を実行する機能と、前記利用者からの払戻指示に基づいてその払戻後の新たな投票可能金額と当該投票金額との大小関係を調べる機能とを実現させる。
【００１４】
本発明は、このように、レース的中金（配当金）を、未払い状態で競技主催者が管理する的中金と、その一部または全部を投票者が払い戻していわば投票資金化した状態の払戻金と、の二つに分けてファイルに保持し、これにより投票者のレース的中金運用面での利便性を確保するとともに、競技主催者のレース的中金管理面での効率化を図っている。
【００１５】
さらには、競技主催者の管理下にある的中金が所定期間（複数日数）たっても払戻金に移行しない場合には、当該的中金を無効にし、これによりレース的中金管理の煩雑さを少なくし、また投票者に対しても投票者カードの翌日以降への連続使用を担保している。
【００１６】
【発明の実施の形態】
図１〜図１１を参照して本発明の実施の形態を説明する。
【００１７】
図１は、ネットワーク構成を示す説明図である。
図１において、
１は、投票者が、投票者カード（投票者ＩＤカード）や投票資金（現金）の登録，当該投票者カードやマークカード（投票カード）を用いたキャッシュレスによる投票，当該投票者カードを用いた払戻・精算などを行う投票端末，
２は、各投票端末１から送られる登録データ，投票データ，払戻・精算データや、競技主催者側が設定するレース的中金などの各種データに基づいてデータベース２１（図７参照）を作成，更新するサーバ，
をそれぞれ示している。
【００１８】
なお、投票者カードおよびマークカードはそれぞれ周知のものである。投票者カードには投票者ＩＤが記録され、マークカードには例えば式別，場名，レース番号，枠番・馬番，金額などの各マーク部分が設けてある。
【００１９】
各投票端末１は、投票者カードやマークカードの挿入・排出部，投票券の取出部，現金の入出力部および表示画面などを備え、サーバ２と通信回線により接続されている。
【００２０】
投票者は、各投票端末１から投票者カードやマークカードを用いて、
・投票資金（現金：預り金）や投票内容を入力する、
・競技主催者側が未払い状態の扱いで管理するレース的中金を払い戻して投票可能金（＝預り金＋払戻金）に移行させる、
・投票可能金を精算する、
などの操作を任意に行うことができる。
【００２１】
図２〜図５は各投票端末１の表示画面例を示す説明図であり、
図２は、投票者カードに基づく投票可能金額の表示画面を示し、
図３は、マークカードに基づく投票金額が投票可能金額を超え、かつ未払いの的中金（図７の的中金計Ｇ）が残っている場合の表示画面を示し、
図４は、マークカードに基づく投票金額が投票可能金額を超え、かつ未払いの的中金が残っていない場合の表示画面を示し、
図５は、投票者カードに基づく精算表示画面を示している。
【００２２】
投票者は、図３の表示画面で「はい」を選択した場合には払戻金への移行金額を入力し、また、図４の表示画面で「はい」を選択した場合には現金を新たに投入する。
【００２３】
サーバ２はこの現金を「預り金」としてデータベース２１に登録する（図７参照）。すなわち、「払戻金への移行」，「現金の投入」のいずれの場合にも投票可能金（＝預り金＋払戻金）がその分だけ増えることになる。
【００２４】
図６は、投票端末およびサーバの構成例を示す説明図であり、
１は投票端末，
１１は投票者カードやマークカードに対するカード挿入・排出部，
１２は投票者カードやマークカードのカード読取部，
１３は投票，精算や預り金の登録などのための投票・精算処理部，
１４は投票者が未払いの的中金を払い戻すかどうかを指示したり払戻金への移行金額を指定する入力操作部，
１５は現金入出力部，
１６は投票券発行部，
１７は表示部，
１８はサーバ２との間の入出力部，
１９はサーバ２から送られるファイルデータ（レコード）や投票・精算処理部１３での演算データなどを保持するメモリ，
２はサーバ，
２１はデータベース，２１ａはカードＩＤファイル（図７参照），２１ｂはレース結果ファイル，
２２はデータベースの作成・更新処理を行うファイル管理部，
２３は投票端末１との間の入出力部，
２４は年月および時間を示すカレンダ，
をそれぞれ示している。
【００２５】
カードＩＤファイル２１ａは、投票券購入用の預り金，レースへの投票金，的中した投票内容に対する未払い状態の的中金，当該的中金の一部または全部を移行させた（支払済み状態の）払戻金，投票可能金（残預り金＋払戻金計）などを、カードＩＤごとに対応付けたものである（図７参照）。
【００２６】
レース結果ファイル２１ｂは、レース開催日，レース番号，レース結果，的中金などを、レースごとに対応付けたものである。各データは競技主催者側が入力する。
【００２７】
ファイル管理部２２は、カードＩＤファイル２１ａに、投票端末１から送られる預り金，投票金，払戻金などの各データを、カレンダ２４の出力データ（年月など）とともに所定のレコード形式（図７参照）で登録する。
【００２８】
また、カレンダ２４を参照することにより、カードＩＤファイル２１ａの各レースの中に、未払い状態の的中金（図７の的中金計Ｇ）がその登録日（図７の来場日）から所定日数経過したものが残っているかどうかのチェックを行い、これに該当する預り金データを無効化している。例えば無効化フラグを該当レコードにたてる。
【００２９】
無効化の具体的処理は、例えば該当するレコードの的中金計Ｇ（図７参照）を「０」に変更した上で、それ以降の各レコードの項目データを当該変更に合わせて修正する。
【００３０】
そして、そのカードＩＤによる投票端末１からのアクセスがあった場合に、無効化処理の内容を当該投票端末に通知する。通知を受けた投票端末はその内容を表示部１７に表示する。
【００３１】
図７は、カードＩＤファイルのデータ構造を示す説明図である。
カードＩＤファイルのレコードは、
・カードＩＤ
・来場日
・利用状態（＝預り金の登録，投票，払戻，精算などのレコード種別）
・預り金Ａ
・預り金計Ｂ
・投票レース，投票枠番など
・投票金Ｃ
・投票金計Ｄ
・残預り金Ｅ（＝Ｂ−Ｄ）
・的中金Ｆ
・的中金計Ｇ
・払戻金Ｈ
・払戻金計Ｉ
・投票可能金Ｊ（＝Ｅ＋Ｉ）
・精算金Ｋ
などの各項目からなっている。
【００３２】
なお、図示していないが、カードＩＤごとの各レコードはその登録順にレコード番号がふられている。また、レコード同士をその登録順にポインタで連結したり、最新の登録レコードにフラグを設けるようにしてもよい。
【００３３】
これにより、ファイル管理部２２は任意のカードＩＤについて最新の登録レコードを検索することができる。
【００３４】
図７の部分のデータは、カードＩＤ「００１００」の投票者カードに対するものであり、この投票者カードを用いて、２００２年１０月０５日に預り金登録が２回，投票が５回，払戻が１回，精算が１回行われ、また、翌０６日に払戻および投票がそれぞれ１回行われたことを示している。
【００３５】
すなわち、この投票者は１０月０５日に、順次、
（１）  「￥１００００」の預り金を登録し、
（２）  「￥４０００」を「京都９レース」に投票（残預り金は「￥６０００」）したが的中せず、
（３）  「￥４０００」を「東京１０レース」に投票（残預り金は「￥２０００」）したが的中せず、
（４）  「￥２０００」を「京都１０レース」に投票（残預り金は「￥０」）して的中金「￥１００００」を獲得し、
（５）  この的中金はそのまま払い戻さずに「￥６０００」の預り金を登録し（残預り金は「￥６０００」）、
（６）  「￥４０００」を「東京１１レース」に投票（残預り金は「￥２０００」）して的中金「￥２００００」を獲得し（的中金計は「￥３００００」）、
（７）  的中金計「￥３００００」の中「￥２００００」だけを払い戻し（投票可能金は「￥２２０００〔＝残預り金２０００＋払戻金計２００００〕」，的中金計は「￥１００００〔＝直前の的中金計３００００−払戻金２００００〕）、
（８）  「￥３０００」を「京都１１レース」に投票（残預り金は「−￥１０００」となるが直前の投票可能金が「￥２２０００」なので投票可能）して的中金「￥５０００」を獲得し（的中金計は「￥１５０００」，投票可能金は「￥１９０００〔＝払戻金計２００００−残預り金１０００〕」）、
（９）  この投票可能金「￥１９０００」を精算している。
【００３６】
この精算により、預り金計，投票金計，残預り金，払戻金計および投票可能金の各データが「０」クリアされる。なお、的中金計の「￥１５０００」はそのまま繰り越しとなる。
【００３７】
また、投票者が投票可能金「￥１９０００」の一部、例えば「￥１００００」を精算する場合には、その差分の「￥９０００」が払戻金計および投票可能金の各項目に登録される。
【００３８】
そして、投票者は翌日に、
（１０）残っている的中金計「￥１５０００」の全額を払い戻し、
（１１）この払戻金から「￥５０００」を「東京１レース」に投票した（残預り金は「−￥５０００」となるが投票可能金が「￥１５０００」なので投票可能）が的中せずとなっている。この段階での投票可能金は「￥１００００（＝投票可能金１５０００−残預り金５０００）」である。
【００３９】
図８は、預り金（現金）の登録手順、すなわち利用者が投票端末１から投票者カードにより投票資金（現金）をサーバ２に登録するときの処理手順を示す説明図である。なお、投票者カードには個別のカードＩＤが付与済みである。
【００４０】
図８の処理手順は次のようになっている。
（ｓ１１）  投票者は、投票端末１のカード挿入・排出部１１に投票者カードを挿入し、また現金入出力部１５に投票資金（現金）を投入する。このとき、カード読取部１２は当該カードのカードＩＤを読み取り、現金入出力部１５は投入金額を検出する。
（ｓ１２）  投票・精算処理部１３は、カードＩＤおよび金額データをサーバ２に通知する。
（ｓ１３）  ファイル管理部２２は、この投入金額データからなる預り金レコード（登録レコード）をカードＩＤファイル２１ａの当該カードＩＤのメンバ部分に登録する。
（ｓ１４）  ファイル管理部２２は、預り金の登録が完了したことを上記投票端末１に通知する。
（ｓ１５）  投票・精算処理部１３（表示部１７）は、上記投票資金が登録されたことを画面表示する。
【００４１】
なお、投票者のパスワードを登録しておき、投票者がそれを投票者カードとともに入力してサーバ２に送信し、当該サーバがそれの真を確認した上で例えば投票資金（現金）の投入へと移行するようにしてもよい。
【００４２】
図９および図１０は、投票手順、すなわち投票者カードおよびマークカードを用いたキャッシュレス投票の処理手順を示す説明図である。
【００４３】
図９，１０の処理手順は次のようになっている。
（ｓ２１）  投票者は、投票端末１のカード挿入・排出部１１に投票者カードを挿入し、また入力操作部１４から自分のパスワードを入力する。このとき、カード読取部１２は当該カードのカードＩＤを読み取る。これらのデータはメモリ１９に保持される。また、パスワードはサーバ２の例えばカードＩＤファイル２１ａに登録済みである。
（ｓ２２）  投票・精算処理部１３は、カードＩＤおよびパスワードをサーバ２に通知する。
（ｓ２３）  ファイル管理部２２は、投票端末１から送られたパスワードおよびカードＩＤの組み合わせが登録データと合致しているかどうかを判断して、「Ｙｅｓ」の場合はステップ（ｓ２７）  に進み、「Ｎｏ」の場合は次のステップに進む。
（ｓ２４）  ファイル管理部２２は、パスワードが違っていることをカードＩＤとともに上記投票端末１に通知する。
（ｓ２５）  投票・精算処理部１３は、このカードＩＤに対するパスワードの不一致が所定回数（例えば４回）続いているかどうかを判断して、「Ｙｅｓ」の場合はその旨を画面表示して処理を終了し、「Ｎｏ」の場合は「パスワードの不一致」を画面表示して次のステップに進む。
（ｓ２６）  投票者は、自分のパスワードを再入力して、ステップ（ｓ２２）  に戻る。
（ｓ２７）  ファイル管理部２２は、ファイル２１ａから当該カードＩＤの最新レコードを取り出して投票端末１に通知する。最新レコードの検索には上述のレコード番号や最終フラグなどを用いる。
（ｓ２８）  投票・精算処理部１３（表示部１７）は、通知されたレコードの投票可能金（Ｊ）を画面表示する（図２参照）。なお、当該レコードはメモリ１９に保持されている。
（ｓ２９）  投票者は、投票端末１のカード挿入・排出部１１にマークカードを挿入する。このとき、カード読取部１２は当該カードにマーク形式で記された投票データ（式別，場名，レース番号，枠番，馬番，金額など）を読み取る。当該投票データはメモリ１９に保持される。
（ｓ３０）  投票・精算処理部１３は、「（ｓ２８）  の投票可能金額≧（ｓ２９）  の投票金額」であるかどうかを判断して、「Ｙｅｓ」の場合は図１０のステップ（ｓ４１）  に進み、「Ｎｏ」の場合は次のステップに進む。ここで、「Ｎｏ」の場合は「投票金額−投票可能金額」が投票に際しての不足金額となる。
（ｓ３１）  投票・精算処理部１３は、上記レコードの的中金計（Ｇ）が「￥０」であるかどうかを判断して、「Ｙｅｓ」の場合はステップ（ｓ３５）  に進み、「Ｎｏ」の場合は次のステップに進む。
（ｓ３２）  投票・精算処理部１３（表示部１７）は、不足金額および当該的中金額を画面表示する（図３参照）。
（ｓ３３）  投票者は、この的中金を払い戻すかどうかを指示し、「Ｙｅｓ」の場合は次のステップに進み、「Ｎｏ」の場合はステップ（ｓ３６）  に進む。
（ｓ３４）  投票者は、入力操作部１４から払戻金の額を入力する。入力値が当該的中金計を超える場合にはその旨の警告を画面表示する。なお、現金の投入（預り金の登録）を併せ行うようにしてもよい。入力データはメモリ１９に保持される。次は図１０のステップ（ｓ３８）  に進む。
（ｓ３５）  投票・精算処理部１３（表示部１７）は、不足金額を画面表示する（図４参照）。
（ｓ３６）  投票者は、預り金（現金）を登録するかどうかを指示し、「Ｙｅｓ」の場合は次のステップに進み、「Ｎｏ」の場合は図１０のステップ（ｓ４０）  に進む。
（ｓ３７）  投票者は、投票端末１の現金入出力部１５に預り金（現金）を投入する。このとき、現金入出力部１５は投入金額を検出する。検出データはメモリ１９に保持される。
（ｓ３８）  投票・精算処理部１３は、上記レコードの投票可能金（Ｊ）に当該払戻金，当該預り金を加算する。
（ｓ３９）  投票・精算処理部１３は、「当該加算後の投票可能金額≧（ｓ２９）  の投票金額」であるかどうかを判断して、「Ｙｅｓ」の場合はステップ（ｓ４１）  に進み、「Ｎｏ」の場合は次のステップに進む。
（ｓ４０）  投票・精算処理部１３（表示部１７，カード挿入・排出部１１）は、「投票不成立」を画面表示して投票者カードおよびマークカードを排出して、処理を終了する。
（ｓ４１）  投票・精算処理部１３は、
・カードＩＤ
・投票内容
・払戻金，預り金の有無およびその値
をサーバ２に通知する。なお、払戻金，預り金の有無とは、上記ステップ（ｓ３４）  ，（ｓ３６）  の処理が実行されたかどうかである。
（ｓ４２）  投票・精算処理部１３（カード挿入・排出部１１，投票券発行部１６）は、投票者カードを排出し、投票券を発行する。
（ｓ４３）  ファイル管理部２２は、投票端末１からの通知が払戻金，預り金の「有」であるかどうかを判断して、「Ｙｅｓ」の場合は次のステップに進み、「Ｎｏ」の場合はステップ（ｓ４５）  に進む。
（ｓ４４）  ファイル管理部２２は、この「有」に対応の登録レコード，払戻レコードをカードＩＤファイル２１ａの当該カードＩＤのメンバ部分に最新レコードとして追加する。
（ｓ４５）  ファイル管理部２２は、投票レコードをカードＩＤファイル２１ａの当該カードＩＤのメンバ部分に最新レコードとして追加する。
【００４４】
なお、図７に示すように、
・登録レコードは、預り金の分だけ、預り金計（Ｂ），残預り金（Ｅ）および投票可能金（Ｊ）の値がそれぞれ大きくなり、
・払戻レコードは、払戻金の分だけ、的中金計（Ｇ）の値が小さくなるとともに投票可能金（Ｊ）の値が大きくなり、
・投票レコードは、投票金の分だけ、投票金計（Ｄ）の値が大きくなるとともに残預り金（Ｅ）および投票可能金（Ｊ）の値がそれぞれ小さくなる。
【００４５】
図１１は、精算手順、すなわち投票者カードを用いた投票可能金の現金化の処理手順を示す説明図である。
【００４６】
図１１の処理手順は次のようになっている。
（ｓ２１）  精算者は、投票端末１のカード挿入・排出部１１に投票者カードを挿入し、また入力操作部１４から自分のパスワードを入力する。
（ｓ２２）  投票・精算処理部１３は、カードＩＤおよびパスワードをサーバ２に通知する。
（ｓ２３）  ファイル管理部２２は、投票端末１から送られたパスワードおよびカードＩＤの組み合わせが登録データと合致しているかどうかを判断して、「Ｙｅｓ」の場合はステップ（ｓ２７）  に進み、「Ｎｏ」の場合は次のステップに進む。
（ｓ２４）  ファイル管理部２２は、パスワードが違っていることをカードＩＤとともに上記投票端末１に通知する。
（ｓ２５）  投票・精算処理部１３は、このカードＩＤに対するパスワードの不一致が所定回数（例えば４回）続いているかどうかを判断して、「Ｙｅｓ」の場合はその旨を画面表示して処理を終了し、「Ｎｏ」の場合は「パスワードの不一致」を画面表示して次のステップに進む。
（ｓ２６）  精算者は、自分のパスワードを再入力して、ステップ（ｓ２２）  に戻る。
（ｓ２７）  ファイル管理部２２は、ファイル２１ａから当該カードＩＤの最新レコードを取り出して投票端末１に通知する。
【００４７】
以上の処理は、図９の（ｓ２１）  〜（ｓ２７）  と同一である。
これに続いて次の処理手順となる。
（ｓ５１）  投票・精算処理部１３（表示部１７）は、通知されたレコードの投票可能金（Ｊ）および的中金計（Ｇ）を画面表示する（図５参照）。なお、当該レコードはメモリ１９に保持されている。
（ｓ５２）  投票・精算処理部１３は、当該レコードの的中金計（Ｇ）が「￥０」であるかどうかを判断して、「Ｙｅｓ」の場合はステップ（ｓ５６）  に進み、「Ｎｏ」の場合は次のステップに進む。
（ｓ５３）  精算者は、この的中金を払い戻すかどうかを指示し、「Ｙｅｓ」の場合は次のステップに進み、「Ｎｏ」の場合はステップ（ｓ５６）  に進む。
（ｓ５４）  精算者は、入力操作部１４から払戻金の額を入力する。入力値が当該的中金計を超える場合にはその旨の警告を画面表示する。入力データはメモリ１９に保持される。
（ｓ５５）  投票・精算処理部１３は、上記レコードの投票可能金（Ｊ）に当該払戻金を加算して、ステップ（ｓ５７）  に進む。
（ｓ５６）  投票・精算処理部１３は、上記レコードの投票可能金（Ｊ）が「￥０」であるかどうかを判断して、「Ｙｅｓ」の場合は処理を終了し、「Ｎｏ」の場合は次のステップに進む。
（ｓ５７）  投票・精算処理部１３（現金入出力部１５）は、投票可能金を現金精算する。なお、精算者が投票可能金の一部を指定して現金精算することもできる。
（ｓ５８）  投票・精算処理部１３は、
・カードＩＤ
・払戻金の有無およびその値
をサーバ２に通知する。なお、払戻金の有無とは、上記ステップ（ｓ５４）  の処理が実行されたかどうかである。
（ｓ５９）  ファイル管理部２２は、精算レコードをカードＩＤファイル２１ａの当該カードＩＤのメンバ部分に最新レコードとして追加する。
【００４８】
なお、精算レコードは、払戻金の分だけ的中金計（Ｇ）の値が小さくなるとともに、精算金の分だけ投票可能金（Ｊ）の値が小さくなる。
【００４９】
以上の実施の形態において各種の変更をとりえることは勿論であり、例えば次のようにしてもよい。
（ａ）  投票端末１にカレンダを設け、当該端末からサーバ２に送られる登録，投票，払戻，精算の各情報に日時データなどを付加する。
（ｂ）  図９，図１１のステップ（ｓ２１）  〜（ｓ２６）  におけるパスワードに関する処理を省略する。この場合、投票者はパスワードを入力しない。
（ｃ）  投票端末１における処理を必要に応じてサーバ２に実行させる。
（ｄ）  カードＩＤファイルへ２１ａへの保持データ（投票者の登録，投票，払戻，精算の各操作に基づくデータ）を投票端末１で作成してサーバ２に送る。
（ｅ）  投票者カードとしてＩＣカードを用い、当該カードにカードＩＤファイル２１ａと同様のデータを格納する。この場合、投票端末１は、当該ＩＣカードのデータに基づいて投票，払戻，登録，精算などの処理を実行することができる。
（ｆ）  預り金，投票金，的中金や払戻金などについてはこれらの個々のデータをカードＩＤファイルへ２１ａに登録し、その計データについては投票ファイルデータをいわば丸ごと受け取った投票端末側で求める。また、残預り金や投票可能金の算出処理も同様とする。これとは逆に、カードＩＤファイルへ２１ａには預り金，投票金，的中金，払戻金などの個々のデータは登録せずに、それぞれの計データや残預り金，投票可能金を登録する。
（ｇ）  図８の（ｓ１１）  や図９の（ｓ３７）  の現金投入に代えて、プリペイドカードによる預り金の登録処理を行う。
【００５０】
以上のキャッシュレス投票のための処理プログラムを格納する記録媒体としては、
・プログラム提供者側のデータベース（ＤＡＳＤなどの回線先メモリ）
・各種形式の可搬型記録媒体
・コンピュータ本体部側のＲＡＭやハードディスク
などのいずれでもよい。当該プログラムはコンピュータ本体部にローディングされてその主メモリ上で実行される。
【００５１】
（付記１）投票端末からキャッシュレス態様で投票できるようにした投票システムにおいて、各利用者の、少なくとも、投票用の預り金と、レースへの投票金と、的中した投票内容に対する未払い状態の的中金と、当該的中金の一部または全部を移行させたもので支払済み状態の払戻金と、に基づくデータを対応付けて保持するファイルと、払戻指示に基づいて、前記ファイルの的中金および払戻金の関連データを前記移行後の値に設定したレコードを登録するファイル管理部とを備えた、ことを特徴とするキャッシュレス投票システム。
（付記２）前記ファイル管理部は、前記ファイルの的中金について、当該ファイルに保持されてから所定期間経過後も前記払戻金へ移行していない分を無効にする、ことを特徴とする付記１記載のキャッシュレス投票システム。
（付記３）投票端末からキャッシュレス態様で投票できるようにした投票システムにおいて、各利用者の、少なくとも、投票用の預り金と、レースへの投票金と、的中した投票内容に対する未払い状態の的中金と、当該的中金の一部または全部を移行させたもので支払済み状態の払戻金と、に基づくデータを対応付けて保持するファイルから取り出した情報を表示する表示部と、利用者の前記預り金および前記払戻金の和から前回までの前記投票金を差し引いた分に対応の投票可能金額と、当該利用者の今回の投票金額との大小関係を調べて、投票可能金額が不足している場合には、前記的中金を支払済み状態の払戻金に移行させるかどうかについての表示を前記表示部に実行させ、当該利用者からの払戻指示に基づいてその払戻後の新たな投票可能金額と当該投票金額との大小関係を調べる投票処理部とを備えた、ことを特徴とするキャッシュレス投票システム。
（付記４）投票端末からキャッシュレス態様で投票できるようにした投票方法において、各利用者の、少なくとも、投票用の預り金と、レースへの投票金と、的中した投票内容に対する未払い状態の的中金と、当該的中金の一部または全部を移行させたもので支払済み状態の払戻金と、に基づくデータを対応付けてファイルに保持し、払戻指示に基づいて、前記ファイルの的中金および払戻金の関連データを前記移行後の値に設定したレコードを登録する、ことを特徴とするキャッシュレス投票方法。
（付記５）投票端末からキャッシュレス態様で投票できるようにした投票方法において、各利用者の、少なくとも、投票用の預り金と、レースへの投票金と、的中した投票内容に対する未払い状態の的中金と、当該的中金の一部または全部を移行させたもので支払済み状態の払戻金と、に基づくデータを対応付けて保持するファイルから取り出した情報を表示し、利用者の前記預り金および前記払戻金の和から前回までの前記投票金を差し引いた分に対応の投票可能金額と、当該利用者の今回の投票金額との大小関係を調べて、投票可能金額が不足している場合には、前記的中金を支払済み状態の払戻金に移行させるかどうかについての表示を実行し、前記利用者からの払戻指示に基づいてその払戻後の新たな投票可能金額と当該投票金額との大小関係を調べる、ことを特徴とするキャッシュレス投票方法。
（付記６）コンピュータ処理により、投票端末からキャッシュレス態様で投票するためのプログラムであって、前記コンピュータに、各利用者の、少なくとも、投票用の預り金と、レースへの投票金と、的中した投票内容に対する未払い状態の的中金と、当該的中金の一部または全部を移行させたもので支払済み状態の払戻金と、に基づくデータを対応付けてファイルに保持する機能と、払戻指示に基づいて、前記ファイルの的中金および払戻金の関連データを前記移行後の値に設定したレコードを登録する機能とを実現させる、ことを特徴とするキャッシュレス投票プログラム。
（付記７）コンピュータ処理により、投票端末からキャッシュレス態様で投票するためのプログラムであって、前記コンピュータに、各利用者の、少なくとも、投票用の預り金と、レースへの投票金と、的中した投票内容に対する未払い状態の的中金と、当該的中金の一部または全部を移行させたもので支払済み状態の払戻金と、に基づくデータを対応付けて保持するファイルから取り出した情報を表示する機能と、利用者の前記預り金および前記払戻金の和から前回までの前記投票金を差し引いた分に対応の投票可能金額と、当該利用者の今回の投票金額との大小関係を調べて、投票可能金額が不足している場合には、前記的中金を支払済み状態の払戻金に移行させるかどうかについての表示を実行する機能と、前記利用者からの払戻指示に基づいてその払戻後の新たな投票可能金額と当該投票金額との大小関係を調べる機能とを実現させる、ことを特徴とするキャッシュレス投票プログラム。
【００５２】
【発明の効果】
本発明は、このように、レース的中金（配当金）を、未払い状態で競技主催者が管理する的中金と、その一部または全部を投票者が払い戻していわば投票資金化した状態の払戻金と、の二つに分けてファイルに保持しているので、投票者のレース的中金運用面での利便性を確保するとともに、競技主催者のレース的中金管理面での効率化を図ることができる。
【００５３】
さらには、競技主催者の管理下にある的中金が所定期間（複数日数）たっても払戻金に移行しない場合には、当該的中金を無効にしているので、レース的中金管理の煩雑さを少なくし、また投票者に対しても投票者カードの翌日以降への連続使用を担保することができる。
【図面の簡単な説明】
【図１】本発明の、ネットワーク構成を示す説明図である。
【図２】本発明の、投票者カードに基づく投票可能金額の表示画面を示す説明図である。
【図３】本発明の、マークカードに基づく投票金額が投票可能金額を超え、かつ未払いの的中金（図７の的中金計Ｇ）が残っている場合の表示画面を示す説明図である。
【図４】本発明の、マークカードに基づく投票金額が投票可能金額を超え、かつ未払いの的中金が残っていない場合の表示画面を示す説明図である。
【図５】本発明の、投票者カードに基づく精算表示画面を示す説明図である。
【図６】本発明の、投票端末およびサーバの構成例を示す説明図である。
【図７】本発明の、カードＩＤファイルのデータ構造を示す説明図である。
【図８】本発明の、預り金（現金）の登録手順、すなわち利用者が投票端末１から投票者カードにより投票資金（現金）をサーバ２に登録するときの処理手順を示す説明図である。
【図９】本発明の、投票手順、すなわち投票者カードおよびマークカードを用いたキャッシュレス投票の処理手順を示す説明図（その１）である。
【図１０】本発明の、投票手順、すなわち投票者カードおよびマークカードを用いたキャッシュレス投票の処理手順を示す説明図（その２）である。
【図１１】本発明の、精算手順、すなわち投票者カードを用いた投票可能金の現金化の処理手順を示す説明図である。
【符号の説明】
１：投票端末
１１：カード挿入・排出部
１２：カード読取部
１３：投票・精算処理部
１４：入力操作部
１５：現金入出力部
１６：投票券発行部
１７：表示部
１８：サーバ２との間の入出力部
１９：メモリ
２：サーバ
２１：データベース
２１ａ：カードＩＤファイル
２１ｂ：レース結果ファイル
２２：ファイル管理部
２３：投票端末１との間の入出力部
２４：カレンダ
【図１】
2004302898.tif 000003
【図２】
2004302898.tif 000004
【図３】
2004302898.tif 000005
【図４】
2004302898.tif 000006
【図５】
2004302898.tif 000007
【図６】
2004302898.tif 000008
【図７】
2004302898.tif 000009
【図８】
2004302898.tif 000010
【図９】
2004302898.tif 000011
【図１０】
2004302898.tif 000012
【図１１】
2004302898.tif 000013